【手続補正書】
【提出日】平成25年2月4日(2013.2.4)
【手続補正１】
【補正対象書類名】明細書
【補正対象項目名】発明の名称
【補正方法】変更
【補正の内容】
【発明の名称】情報処理システムおよび情報処理方法、コンテンツ合成装置および方法、並びに記録媒体
【手続補正２】
【補正対象書類名】明細書
【補正対象項目名】０００１
【補正方法】変更
【補正の内容】
【０００１】
本発明は、情報処理システムおよび情報処理方法、コンテンツ合成装置および方法、並びに記録媒体に関し、特に、コンテンツの視聴時において、視聴に支障をきたすことなく、より臨場感を得ることができるようにした情報処理システムおよび情報処理方法、コンテンツ合成装置および方法、並びに記録媒体に関する。
【手続補正３】
【補正対象書類名】明細書
【補正対象項目名】００１２
【補正方法】変更
【補正の内容】
【００１２】
本発明の第１の側面の情報処理システムは、少なくとも映像または音声の何れかからなるコンテンツに対する視聴者の反応を示す、前記視聴者の映像または音声の少なくとも一方を視聴者反応情報として取得する視聴者反応入力部と、前記視聴者反応情報に基づいて、前記コンテンツに対する前記視聴者の盛り上がりの度合いを示す盛り上がり情報を生成する解析部とを備える。
本発明の第１の側面においては、少なくとも映像または音声の何れかからなるコンテンツに対する視聴者の反応を示す、前記視聴者の映像または音声の少なくとも一方が視聴者反応情報として取得され、前記視聴者反応情報に基づいて、前記コンテンツに対する前記視聴者の盛り上がりの度合いを示す盛り上がり情報が生成される。
本発明の第２の側面のコンテンツ合成装置は、少なくとも映像または音声の何れかからなるコンテンツに対する視聴者の反応を示す、前記視聴者の映像または音声の少なくとも一方を視聴者反応情報として取得する視聴者反応入力部と、前記視聴者反応情報に基づいて、前記コンテンツに対する前記視聴者の盛り上がりの度合いを示す盛り上がり情報を生成する解析部と、前記盛り上がり情報をサーバに送信する送信部と、複数の前記盛り上がり情報から得られる全視聴者視聴情報を前記サーバから受信し、前記全視聴者視聴情報に基づいて、前記盛り上がりの度合いを表現する映像または音声の少なくとも一方からなる盛り上がり効果を選択し、選択した前記盛り上がり効果を前記コンテンツに合成する合成部とを備える。
本発明の第２の側面においては、少なくとも映像または音声の何れかからなるコンテンツに対する視聴者の反応を示す、前記視聴者の映像または音声の少なくとも一方が視聴者反応情報として取得され、前記視聴者反応情報に基づいて、前記コンテンツに対する前記視聴者の盛り上がりの度合いを示す盛り上がり情報が生成され、前記盛り上がり情報がサーバに送信され、複数の前記盛り上がり情報から得られる全視聴者視聴情報が前記サーバから受信され、前記全視聴者視聴情報に基づいて、前記盛り上がりの度合いを表現する映像または音声の少なくとも一方からなる盛り上がり効果が選択され、選択した前記盛り上がり効果が前記コンテンツに合成される。
本発明の第３の側面の情報処理方法は、少なくとも映像または音声の何れかからなるコンテンツに対する視聴者の反応を示す、前記視聴者の映像または音声の少なくとも一方を視聴者反応情報として取得し、前記視聴者反応情報に基づいて、前記コンテンツに対する前記視聴者の盛り上がりの度合いを示す盛り上がり情報を生成するステップを含む。
本発明の第３の側面においては、少なくとも映像または音声の何れかからなるコンテンツに対する視聴者の反応を示す、前記視聴者の映像または音声の少なくとも一方が視聴者反応情報として取得され、前記視聴者反応情報に基づいて、前記コンテンツに対する前記視聴者の盛り上がりの度合いを示す盛り上がり情報が生成される。
本発明の第４の側面のコンテンツ合成処理方法または記録媒体のプログラムは、少なくとも映像または音声の何れかからなるコンテンツに対する視聴者の反応を示す、前記視聴者の映像または音声の少なくとも一方を視聴者反応情報として取得し、前記視聴者反応情報に基づいて、前記コンテンツに対する前記視聴者の盛り上がりの度合いを示す盛り上がり情報を生成し、前記盛り上がり情報をサーバに送信し、複数の前記盛り上がり情報から得られる全視聴者視聴情報を前記サーバから受信し、前記全視聴者視聴情報に基づいて、前記盛り上がりの度合いを表現する映像または音声の少なくとも一方からなる盛り上がり効果を選択し、選択した前記盛り上がり効果を前記コンテンツに合成するステップを含む。
本発明の第４の側面においては、少なくとも映像または音声の何れかからなるコンテンツに対する視聴者の反応を示す、前記視聴者の映像または音声の少なくとも一方が視聴者反応情報として取得され、前記視聴者反応情報に基づいて、前記コンテンツに対する前記視聴者の盛り上がりの度合いを示す盛り上がり情報が生成され、前記盛り上がり情報がサーバに送信され、複数の前記盛り上がり情報から得られる全視聴者視聴情報が前記サーバから受信され、前記全視聴者視聴情報に基づいて、前記盛り上がりの度合いを表現する映像または音声の少なくとも一方からなる盛り上がり効果が選択され、選択した前記盛り上がり効果が前記コンテンツに合成される。
【手続補正４】
【補正対象書類名】明細書
【補正対象項目名】００１３
【補正方法】削除
【補正の内容】
【手続補正５】
【補正対象書類名】特許請求の範囲
【補正対象項目名】全文
【補正方法】変更
【補正の内容】
【特許請求の範囲】
【請求項１】
少なくとも映像または音声の何れかからなるコンテンツに対する視聴者の反応を示す、前記視聴者の映像または音声の少なくとも一方を視聴者反応情報として取得する視聴者反応入力部と、
前記視聴者反応情報に基づいて、前記コンテンツに対する前記視聴者の盛り上がりの度合いを示す盛り上がり情報を生成する解析部と
を備える情報処理システム。
【請求項２】
前記コンテンツの放送信号を受信する受信部をさらに備える
請求項１に記載の情報処理システム。
【請求項３】
前記視聴者反応入力部は、前記コンテンツが前記視聴者に提示されている状態で前記視聴者反応情報を取得する
請求項１に記載の情報処理システム。
【請求項４】
サーバと複数のコンテンツ再生装置とをさらに備え、
前記コンテンツ再生装置は、前記視聴者反応情報または前記盛り上がり情報の少なくとも一方を前記サーバに送信する送信部を有する
請求項３に記載の情報処理システム。
【請求項５】
前記サーバは、複数の前記盛り上がり情報に基づいて、複数の前記視聴者の前記盛り上がりの度合いを示す全視聴者視聴情報を生成する
請求項４に記載の情報処理システム。
【請求項６】
前記全視聴者視聴情報に基づいて、前記盛り上がりの度合いを表現する映像または音声の少なくとも一方からなる盛り上がり効果を選択し、選択した前記盛り上がり効果を前記コンテンツに合成する合成部をさらに備える
請求項５に記載の情報処理システム。
【請求項７】
前記サーバは、前記全視聴者視聴情報を少なくとも１つの前記コンテンツ再生装置に送信し、
前記少なくとも１つの前記コンテンツ再生装置は前記合成部を有し、前記合成部は前記サーバから送信された前記全視聴者視聴情報を受信する
請求項６に記載の情報処理システム。
【請求項８】
少なくとも１つの前記コンテンツ再生装置は、前記盛り上がり効果が合成された前記コンテンツを前記視聴者に対して提示する表示部を有する
請求項６に記載の情報処理システム。
【請求項９】
前記合成部は、前記盛り上がり効果が合成された前記コンテンツを、１つの前記コンテンツ再生装置の表示部に出力する
請求項６に記載の情報処理システム。
【請求項１０】
前記盛り上がり効果には、前記視聴者に対して前記コンテンツが提示されている状態における、前記コンテンツに対する前記視聴者の反応を示す映像または音声の少なくとも一方が含まれている
請求項６に記載の情報処理システム。
【請求項１１】
前記盛り上がり効果は、複数の前記視聴者に対して前記コンテンツが提示されている状態における、前記コンテンツに対する複数の前記視聴者の反応を示す映像または音声の少なくとも一方からなる
請求項６に記載の情報処理システム。
【請求項１２】
前記全視聴者視聴情報は、複数の前記視聴者に対して前記コンテンツが提示されている状態における、前記コンテンツに対する複数の前記視聴者の前記盛り上がりの度合いの平均を示している
請求項５に記載の情報処理システム。
【請求項１３】
前記解析部は、前記視聴者の動き量に基づいて前記盛り上がり情報を生成する
請求項１に記載の情報処理システム。
【請求項１４】
前記解析部は、前記視聴者の音声の音量の変化量に基づいて前記盛り上がり情報を生成する
請求項１３に記載の情報処理システム。
【請求項１５】
前記解析部は、前記視聴者の音声の音量の変化量に基づいて前記盛り上がり情報を生成する
請求項１に記載の情報処理システム。
【請求項１６】
少なくとも映像または音声の何れかからなるコンテンツに対する視聴者の反応を示す、前記視聴者の映像または音声の少なくとも一方を視聴者反応情報として取得する視聴者反応入力部と、
前記視聴者反応情報に基づいて、前記コンテンツに対する前記視聴者の盛り上がりの度合いを示す盛り上がり情報を生成する解析部と、
前記盛り上がり情報をサーバに送信する送信部と、
複数の前記盛り上がり情報から得られる全視聴者視聴情報を前記サーバから受信し、
前記全視聴者視聴情報に基づいて、前記盛り上がりの度合いを表現する映像または音声の少なくとも一方からなる盛り上がり効果を選択し、選択した前記盛り上がり効果を前記コンテンツに合成する合成部と
を備えるコンテンツ合成装置。
【請求項１７】
少なくとも映像または音声の何れかからなるコンテンツに対する視聴者の反応を示す、前記視聴者の映像または音声の少なくとも一方を視聴者反応情報として取得し、
前記視聴者反応情報に基づいて、前記コンテンツに対する前記視聴者の盛り上がりの度合いを示す盛り上がり情報を生成する
ステップを含む情報処理方法。
【請求項１８】
少なくとも映像または音声の何れかからなるコンテンツに対する視聴者の反応を示す、前記視聴者の映像または音声の少なくとも一方を視聴者反応情報として取得し、
前記視聴者反応情報に基づいて、前記コンテンツに対する前記視聴者の盛り上がりの度合いを示す盛り上がり情報を生成し、
前記盛り上がり情報をサーバに送信し、
複数の前記盛り上がり情報から得られる全視聴者視聴情報を前記サーバから受信し、
前記全視聴者視聴情報に基づいて、前記盛り上がりの度合いを表現する映像または音声の少なくとも一方からなる盛り上がり効果を選択し、
選択した前記盛り上がり効果を前記コンテンツに合成する
ステップを含むコンテンツ合成処理方法。
【請求項１９】
少なくとも映像または音声の何れかからなるコンテンツに対する視聴者の反応を示す、前記視聴者の映像または音声の少なくとも一方を視聴者反応情報として取得し、
前記視聴者反応情報に基づいて、前記コンテンツに対する前記視聴者の盛り上がりの度合いを示す盛り上がり情報を生成し、
前記盛り上がり情報をサーバに送信し、
複数の前記盛り上がり情報から得られる全視聴者視聴情報を前記サーバから受信し、
前記全視聴者視聴情報に基づいて、前記盛り上がりの度合いを表現する映像または音声の少なくとも一方からなる盛り上がり効果を選択し、
選択した前記盛り上がり効果を前記コンテンツに合成する
ステップを含む処理をコンピュータに実行させるコンピュータ読み取り可能なプログラムが記録されている記録媒体。